(57)【要約】【課題】放電灯の劣化を抑制することができる点灯方法、点灯制御装置及びプロジェクタを提供すること。【解決手段】内部に一対の電極が配置され、当該電極間で放電発光する発光部を有する放電灯の前記電極に交流電流を出力して、当該放電灯を点灯させる放電灯の点灯方法であって、放電灯の劣化状態を検出する検出ステップと、検出された放電灯の劣化状態に基づいて、電極が温まりにくい状態にあるか否かを判定する判定ステップＳＢ０４と、電極が温まりにくい状態でないと判定されると、放電灯の絶縁破壊後から一対の電極の先端同士で放電が開始されるまでの始動期間に、半周期に供給される電気量が所定の電気量となる第１のランプ電流を一対の電極に供給し、温まりにくい状態であると判定されると、始動期間に、前記所定の電気量より大きな電気量となる第２のランプ電流を一対の電極に供給する電流供給ステップＳＢ０８とを有する。【選択図】図７
2009212069.tif 000002
【特許請求の範囲】
【請求項１】
内部に一対の電極が配置され、当該一対の電極間で放電発光する発光部を有する放電灯の前記一対の電極に交流電流を出力して、前記放電灯を点灯させる放電灯の点灯方法であって、
前記放電灯の劣化状態を検出する検出ステップと、
検出された前記放電灯の劣化状態に基づいて、前記電極が温まりにくい状態であるか否かを判定する判定ステップと、
前記判定ステップにて、前記電極が温まりにくい状態でないと判定されると、前記放電灯の絶縁破壊後から前記一対の電極の先端同士で放電が開始されるまでの始動期間に、半周期に供給される電気量が所定の電気量となる第１のランプ電流を前記一対の電極に供給し、温まりにくい状態であると判定されると、前記始動期間に、前記所定の電気量より大きな電気量となる第２のランプ電流を前記一対の電極に供給する電流供給ステップとを有することを特徴とする放電灯の点灯方法。
【請求項２】
請求項１に記載の放電灯の点灯方法において、
前記電流供給ステップは、
前記第１のランプ電流に係る電流値及び周波数の少なくともいずれかを調整した前記第２のランプ電流を供給することを特徴とする放電灯の点灯方法。
【請求項３】
請求項２に記載の放電灯の点灯方法において、
前記電力供給ステップは、
前記第２のランプ電流に係る電流値及び周波数を、前記第１のランプ電流に係る電流値及び周波数よりそれぞれ低く設定する電流設定ステップと、
前記電流設定ステップで設定された電流値及び周波数に基づいて、前記第２のランプ電流を供給する供給ステップとを有することを特徴とする放電灯の点灯方法。
【請求項４】
請求項２に記載の放電灯の点灯方法において、
前記電流供給ステップは、
前記第２のランプ電流に係る電流値及び周波数を、前記第１のランプ電流に係る電流値及び周波数よりそれぞれ高く設定する電流設定ステップと、
前記電流設定ステップで設定された電流値及び周波数に基づいて、前記第２のランプ電流を供給する供給ステップとを有することを特徴とする放電灯の点灯方法。
【請求項５】
請求項１から請求項４のいずれかに記載の放電灯の点灯方法において、
前記検出ステップは、
前記一対の電極間に生じる電圧値と、前記放電灯の累積点灯時間と、前記放電灯から射出された光の輝度値とのうちの少なくともいずれかを検出することを特徴とする放電灯の点灯方法。
【請求項６】
請求項１から請求項５のいずかに記載の放電灯の点灯方法において、
前記検出ステップは、
前記放電灯の消灯時に、検出した前記放電灯の劣化状態を記憶手段に記憶し、
当該放電灯の点灯方法は、
前記放電灯の点灯始動時に、前記記憶手段に記憶された前記放電灯の劣化状態を取得する取得ステップを有し、
前記判定ステップは、
前記取得ステップにて取得された前記放電灯の劣化状態に基づいて、前記電極が温まりにくい状態にあるか否かを判定することを特徴とする放電灯の点灯方法。
【請求項７】
内部に一対の電極が配置され、当該一対の電極間で放電発光する発光部を有する放電灯の前記一対の電極に交流電流を出力して、前記放電灯を点灯させる点灯制御装置であって、
前記放電灯の劣化状態を検出する検出手段と、
検出された前記放電灯の劣化状態に基づいて、前記電極が温まりにくい状態であるか否かを判定する判定手段と、
前記判定手段にて、前記電極が温まりにくい状態でないと判定されると、前記放電灯の絶縁破壊後から前記一対の電極の先端同士で放電が開始されるまでの始動期間に、半周期に供給される電気量が所定の電気量となる第１のランプ電流を前記一対の電極に供給し、温まりにくい状態であると判定されると、前記始動期間に、前記所定の電気量より大きな電気量となる第２のランプ電流を前記一対の電極に供給する電流供給手段とを備えることを特徴とする点灯制御装置。
【請求項８】
内部に一対の電極が配置され、当該一対の電極間で放電発光する発光部を有する放電灯と、当該放電灯から射出された光を画像情報に応じて変調する光変調装置と、変調された前記光を投射する投射光学装置とを備えたプロジェクタであって、
請求項７に記載の点灯制御装置を備えることを特徴とするプロジェクタ。
【発明の詳細な説明】
【技術分野】
【０００１】
本発明は、内部に一対の電極を有する放電灯の点灯方法、点灯制御装置及びプロジェクタに関する。
【背景技術】
【０００２】
従来、放電灯と、当該放電灯の点灯を制御する点灯制御装置とを備えた光源装置が知られている。このうち、放電灯として、内部に一対の電極が配置され、かつ、水銀及び希ガス等の発光物質が封入される放電空間が形成された略球状の発光部と、当該発光部を挟んで互いに離間する方向に延出し、かつ、内部に各電極に接続される電極引出線が設けられた一対の封止部とを有する放電灯が知られている。このような光源装置では、点灯制御装置が電極引出線を介して電極に電力を供給すると、電極間の絶縁破壊、各電極間で放電が生じ、放電空間内の発光物質が反応して光を射出する。
【０００３】
このような放電灯の点灯方式として、当該放電灯の一対の電極に直流電流を供給する直流駆動方式が知られているほか、交流電流を供給する交流駆動方式が知られている（例えば、特許文献１参照）。
この特許文献１に記載の交流駆動方式では、放電灯のランプ電流及びランプ電圧を検出し、所定のランプ電力を指示するランプ電力指令値と、検出されたランプ電圧とに基づいて、ランプ電流指令値を算出する。そして、当該ランプ電流指令値と、検出されたランプ電流とが一致するように、放電灯に出力するランプ電流を制御するとともに、当該ランプ電流指令値の積分値が大きいほど、交流電流が極性反転する時間間隔を短くする。このような点灯方式によれば、放電灯の点灯直後の立ち消えが発生することを抑制することができる。
【０００４】
【特許文献１】特許第３９５１６０８号公報
【発明の開示】
【発明が解決しようとする課題】
【０００５】
しかしながら、前述の特許文献１に記載の点灯方式では、放電灯の変化（例えば、電極の劣化状態）による電極の温まり具合を考慮していない。このため、各電極の先端間でのアーク放電が始まる前に、当該電極における先端以外の部位でアークが生じ、当該アークが発光部内壁に衝突するなどして、放電灯の劣化を促進してしまう可能性がある。
【０００６】
ここで、放電灯の交流駆動方式において、絶縁破壊後に交流電流を高周波数で電極に出力すると、電流波形に半波区間（非対称区間）が生じる。この半波区間は、一方の電極が熱電子放出（アーク放電）可能な温度に達するまでの加熱区間であると考えられている。この半波区間で他方の電極に与えられる電力量を計測することで、電極の温まり具合を見積もることができる。
この計測結果によれば、放電灯の累積点灯時間が経過するにつれて、電極が温まりにくくなる、すなわち、各電極の先端間でのアーク放電が始まるまでの時間が長くなることが判明した。これは、電極を構成するタングステンが蒸発するなどして、電極の熱抵抗が小さくなるためと考えられている。
【０００７】
この際、蒸発したタングステンは、一方の電極における他方の電極から離間した位置、すなわち、発光部内壁に近い位置で針状結晶となりやすい。このような針状結晶には電場が集中しやすく、当該針状結晶にてアークが発生しやすくなる。このため、点灯始動時に電極が温まりにくいと、各電極の先端間でアーク放電が始まる前に、当該針状結晶でアークが発生し、当該針状結晶でのアーク放電が固定化及び持続されてしまう。
【０００８】
ここで、前述のように、針状結晶の形成位置は、電極の先端に比べて略球状の発光部内壁に近い位置であるので、当該針状結晶で発生したアークの発光部内壁への衝突確率は、電極先端で発生したアークの衝突確率に比べて高い。そして、当該アークが発光部内壁に衝突すると、当該内壁を形成する二酸化ケイ素（SiO2）が蒸発し、アークの衝突部位には、茶又は黒の環状の跡が残る。この蒸発した二酸化ケイ素（SiO2）は、発光部内壁に着地するが、着地したケイ素（Si）及び酸素（O）は、蒸発した二酸化ケイ素（SiO2）より酸素（O）が少ないことが観察されており、これは、発光部内では酸素が過多な状態であることを示す。このような状態となると、蒸発したタングステンと酸素とが結合し、電極の融点がさらに引き下げられ、タングステンの蒸発、ひいては、電極の劣化が促進されると考えられている。
このため、電極の状態、すなわち、電極の温まり具合に応じて、当該電極に適切な電流を出力し、不要なアークが発生する前に、当該電極の先端間でのアーク放電を開始させることが望まれる。
【０００９】
本発明の目的は、放電灯の劣化を抑制することができる点灯方法、点灯制御装置及びプロジェクタを提供することである。
【課題を解決するための手段】
【００１０】
前記した目的を達成するために、本発明の放電灯の点灯方法は、内部に一対の電極が配置され、当該一対の電極間で放電発光する発光部を有する放電灯の前記一対の電極に交流電流を出力して、前記放電灯を点灯させる放電灯の点灯方法であって、前記放電灯の劣化状態を検出する検出ステップと、検出された前記放電灯の劣化状態に基づいて、前記電極が温まりにくい状態であるか否かを判定する判定ステップと、前記判定ステップにて、前記電極が温まりにくい状態でないと判定されると、前記放電灯の絶縁破壊後から前記一対の電極の先端同士で放電が開始されるまでの始動期間に、半周期に供給される電気量が所定の電気量となる第１のランプ電流を前記一対の電極に供給し、温まりにくい状態であると判定されると、前記始動期間に、前記所定の電気量より大きな電気量となる第２のランプ電流を前記一対の電極に供給する電流供給ステップとを有することを特徴とする。
【００１１】
本発明によれば、検出ステップで検出された放電灯の劣化状態に基づいて、判定ステップにて、電極が温まりにくい状態であるか否かが判定される。そして、電極が温まりにくい状態ではないと判定された場合には、電力供給ステップでは、放電灯を通常点灯させるべく、第１のランプ電流を一対の電極に供給する。一方、電極が劣化するなどして温まりにくい状態であると判定された場合には、電力供給ステップでは、半周期に供給される電気量が第１のランプ電流より大きな第２のランプ電流を、一対の電極に供給する。
これによれば、電極の温まり具合に応じて、当該電極に点灯始動に適したランプ電流を供給することができる。すなわち、電極が温まりにくい状態である場合には、半周期に供給される電気量が、第１のランプ電流より大きな第２のランプ電流を、当該電極に供給することができるので、各電極にて不要なアーク（発光部に衝突するアーク等）が生じる前に、当該各電極の先端間でのアーク放電が開始されるように、当該各電極を過熱することができる。従って、不要なアークが発光部に衝突する確率を下げることができ、放電灯の劣化を抑制することができる。また、これにより、放電灯の長寿命化を図ることができる。
【００１２】
本発明では、前記電流供給ステップは、前記第１のランプ電流に係る電流値及び周波数の少なくともいずれかを調整した前記第２のランプ電流を供給することが好ましい。
ここで、交流電流の半周期に電極に供給される電気量を制御する際には、電流値、電圧値及び周波数（半周期の時間）の少なくともいずれかを制御することが考えられる。しかしながら、電圧値は放電灯の特性で決まってしまうため、意図的な制御は困難である。
これに対し、本発明では、第１のランプ電流に係る電流値及び周波数の少なくともいずれかを調整した第２のランプ電流を供給することにより、当該第２のランプ電流に係る半周期の電気量を、第１のランプ電流に係る半周期の電気量より容易に大きく設定することができる。従って、第２のランプ電流の供給に係る制御を容易に行うことができる。
【００１３】
本発明では、前記電力供給ステップは、前記第２のランプ電流に係る電流値及び周波数を、前記第１のランプ電流に係る電流値及び周波数よりそれぞれ低く設定する電流設定ステップと、前記電流設定ステップで設定された電流値及び周波数に基づいて、前記第２のランプ電流を供給する供給ステップとを有することが好ましい。
【００１４】
本発明によれば、電極が温めにくい状態であると判定された際に、各電極に供給される第２のランプ電流に係る電流値及び周波数は、第１のランプ電流に係る電流値及び周波数に比べて、それぞれ低く設定される。これによれば、各電極を緩やかに加熱することができるので、当該各電極の先端以外の部位から、強いアークが発生することを抑えることができ、ひいては、当該アークが発光部に衝突することを抑制することができる。従って、放電灯の劣化を一層確実に抑制することができる。
【００１５】
或いは、本発明では、前記電流供給ステップは、前記第２のランプ電流に係る電流値及び周波数を、前記第１のランプ電流に係る電流値及び周波数よりそれぞれ高く設定する電流設定ステップと、前記電流設定ステップで設定された電流値及び周波数に基づいて、前記第２のランプ電流を供給する供給ステップとを有することが好ましい。
【００１６】
本発明によれば、電極が温めにくい状態であると判定された際に、各電極に供給される第２のランプ電流に係る電流値及び周波数は、第１のランプ電流に係る電流値及び周波数に比べて、それぞれ高く設定されている。これによれば、各電極を速やかに加熱することができるので、当該各電極の先端間でのアーク放電を速やかに開始させることができる。従って、放電灯の劣化を一層確実に抑制することができる。
【００１７】
本発明では、前記検出ステップは、前記一対の電極間に生じる電圧値と、前記放電灯の累積点灯時間と、前記放電灯から射出された光の輝度値とのうちの少なくともいずれかを検出することが好ましい。
ここで、電極が劣化して電極間距離が大きくなる（先端間が離れる）と、当該各電極間に生じる電圧値は大きくなる。このため、当該電圧値を指標として、各電極の劣化状態を間接的に検出することができる。
また、各電極は、前述のように、累積点灯時間の経過とともに劣化が顕著となるので、当該累積点灯時間を指標として、各電極の劣化状態を間接的に検出することができる。
更に、放電灯から射出された光の輝度値は、電極の劣化状態に応じて低下するので、当該輝度値を指標として、各電極の劣化状態を間接的に検出することができる。
従って、本発明によれば、これら電圧値、累積点灯時間及び輝度値のうち、少なくともいずれかを指標として、電極の劣化状態を精度よく検出することができる。
【００１８】
本発明では、前記検出ステップは、前記放電灯の消灯時に、検出した前記放電灯の劣化状態を記憶手段に記憶し、当該放電灯の点灯方法は、前記放電灯の点灯始動時に、前記記憶手段に記憶された前記放電灯の劣化状態を取得する取得ステップを有し、前記判定ステップは、前記取得ステップにて取得された前記放電灯の劣化状態に基づいて、前記電極が温まりにくい状態にあるか否かを判定することが好ましい。
【００１９】
本発明によれば、放電灯の消灯時に検出され、かつ、記憶手段に記憶された放電灯の劣化状態を、放電灯の点灯時に取得する。これによれば、当該放電灯の劣化状態に応じて、放電灯の点灯時に前述の第１のランプ電流又は第２のランプ電流を迅速に各電極に供給することができる。従って、放電灯の点灯始動性を向上することができる。
【００２０】
また、本発明の点灯制御装置は、内部に一対の電極が配置され、当該一対の電極間で放電発光する発光部を有する放電灯の前記一対の電極に交流電流を出力して、前記放電灯を点灯させる点灯制御装置であって、前記放電灯の劣化状態を検出する検出手段と、検出された前記放電灯の劣化状態に基づいて、前記電極が温まりにくい状態であるか否かを判定する判定手段と、前記判定手段にて、前記電極が温まりにくい状態でないと判定されると、前記放電灯の絶縁破壊後から前記一対の電極の先端同士で放電が開始されるまでの始動期間に、半周期に供給される電気量が所定の電気量となる第１のランプ電流を前記一対の電極に供給し、温まりにくい状態であると判定されると、前記始動期間に、前記所定の電気量より大きな電気量となる第２のランプ電流を前記一対の電極に供給する電流供給手段とを備えることを特徴とする。
【００２１】
本発明によれば、前述の放電灯の点灯方法と同様の効果を奏することができる。
すなわち、検出手段により検出された放電灯の劣化状態に基づいて、判定手段が、電極が温まりにくい状態であるか否かを判定する。そして、電極が温まりにくい状態でないと判定された場合には、電力供給手段が、第１のランプ電流を一対の電極に供給する。一方、電極が劣化するなどして温まりにくい状態であると判定された場合には、電力供給手段が、半周期の電気量が第１のランプ電流より大きな第２のランプ電流を、一対の電極に供給する。
これによれば、電極の劣化状態に応じて、当該電極に適切な電流を供給することができるので、各電極にて不要なアークが生じる前に、各電極の先端間でアーク放電を開始させることができる。従って、不要なアークが発光部に衝突する確率を下げることができ、放電灯の劣化を抑制することができる。また、これにより、放電灯の長寿命化を図ることができる。
【００２２】
また、本発明のプロジェクタは、内部に一対の電極が配置され、当該一対の電極間で放電発光する発光部を有する放電灯と、当該放電灯から射出された光を画像情報に応じて変調する光変調装置と、変調された前記光を投射する投射光学装置とを備えたプロジェクタであって、前述の点灯制御装置を備えることを特徴とする。
本発明によれば、前述の放電灯の点灯方法及び点灯制御装置と同様の効果を奏することができるほか、放電灯の交換頻度を下げることができるので、プロジェクタのメンテナンスの手間を省くことができる。
【発明を実施するための最良の形態】
【００２３】
〔１．第１実施形態〕
以下、本発明の第１実施形態を図面に基づいて説明する。
〔プロジェクタの概略構成〕
図１は、本実施形態に係るプロジェクタ１の概略構成を示す模式図である。
プロジェクタ１は、内部に設けられた光源装置４１１から射出される光束を画像情報に応じて変調して画像光を形成し、当該画像光をスクリーン（図示省略）等の投射面上に拡大投射するものである。このプロジェクタ１は、図１に示すように、外装筐体２と、投射レンズ３と、光学ユニット４等を備えている。
また、これらの他に、プロジェクタ１は、当該プロジェクタ１内部を冷却する冷却ファン等で構成される冷却ユニット９１、プロジェクタ１内部の各構成部材に電力を供給する電源ユニット９２、及び、プロジェクタ１全体を制御する制御ユニット９３等を備え、これらは、外装筐体２内に配置されている。
このうち、電源ユニット９２は、プロジェクタ１の外部から供給される商用交流電流を直流変換し、プロジェクタ１内部の各構成部材に応じた電圧に昇降圧した後に当該各構成部材に電力を供給する。
【００２４】
〔外装筐体及び投射レンズの構成〕
外装筐体２は、投射レンズ３及び光学ユニット４等を内部に収納配置するものであり、全体略直方体状に形成されている。なお、本実施形態では、外装筐体２を合成樹脂により形成したが、これに限らず、金属等の他の材料により形成してもよい。
投射レンズ３は、光学ユニット４にて形成された画像光を、スクリーン（図示省略）等の投射面上に結像させるとともに、当該画像光に係る画像を拡大投射する投射光学装置である。この投射レンズ３は、筒状の鏡筒内に複数のレンズが収納された組レンズとして構成されている。
【００２５】
〔光学ユニットの構成〕
光学ユニット４は、前述の制御ユニット９３による制御の下、光源から射出された光束を、光学的に処理して画像情報に対応した画像光を形成するユニットである。この光学ユニット４は、図１に示すように、外装筐体２の背面に沿って延出するとともに、外装筐体２の側面に沿って延出する平面視略Ｌ字形状を有している。
この光学ユニット４は、照明光学装置４１と、色分離光学装置４２と、リレー光学装置４３と、電気光学装置４４と、これら光学部品４１〜４４を内部に収納配置するとともに、投射レンズ３を所定位置で支持固定する光学部品用筐体４５とを備えている。
【００２６】
照明光学装置４１は、電気光学装置４４を構成する後述する液晶パネル４４２の画像形成領域をほぼ均一に照明するものである。この照明光学装置４１は、光源装置４１１と、第１レンズアレイ４１２と、第２レンズアレイ４１３と、偏光変換素子４１４と、重畳レンズ４１５とを備えて構成されている。
【００２７】
光源装置４１１は、放射状の光線を射出する放電灯５と、当該放電灯５から射出された放射光を反射して、所定位置に収束させる主反射鏡６と、主反射鏡６にて反射されて収束される光束を照明光軸Ａに対して平行化する平行化凹レンズ７と、放電灯５の点灯を制御する点灯制御装置８と、これらを内部に収納するハウジング（図示省略）とを備えている。なお、放電灯５、主反射鏡６及び点灯制御装置８の構成については、後に詳述する。
【００２８】
第１レンズアレイ４１２は、照明光軸Ａに略直交する面内に複数の小レンズが、マトリクス状に配列された構成を有している。これら小レンズは、照明光軸Ａ方向から見て略矩形状の輪郭を有している。そして、これら各小レンズは、光源装置４１１から射出される光束を、複数の部分光束に分割する。
第２レンズアレイ４１３は、第１レンズアレイ４１２と同様の構成を有しており、第１レンズアレイ４１２の小レンズに対応する小レンズがマトリクス状に配列された構成を有している。この第２レンズアレイ４１３は、重畳レンズ４１５とともに、第１レンズアレイ４１２の各小レンズの像を、電気光学装置４４の後述する液晶パネル４４２の画像形成領域に結像させる機能を有している。
【００２９】
偏光変換素子４１４は、第２レンズアレイ４１３と重畳レンズ４１５との間に配置され、当該第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル４４２の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００３０】
色分離光学装置４２は、２枚のダイクロイックミラー４２１，４２２と、反射ミラー４２３とを備え、ダイクロイックミラー４２１，４２２により照明光学装置４１から射出された複数の部分光束を赤（Ｒ）、緑（Ｇ）、青（Ｂ）の３色の色光に分離する。
リレー光学装置４３は、入射側レンズ４３１、リレーレンズ４３３及び反射ミラー４３２，４３４を備え、色分離光学装置４２で分離された赤色光を赤色光用の液晶パネル４４２Ｒまで導く機能を有している。
【００３１】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４４１を通って青色光用の液晶パネル４４２Ｂに達する。このフィールドレンズ４４１は、第２レンズアレイ４１３から射出された各部分光束をその中心軸（主光線）に対して平行な光束に変換する。他の緑色光及び赤色光用の液晶パネル４４２Ｇ，４４２Ｒの光入射側に設けられたフィールドレンズ４４１も同様である。
【００３２】
ダイクロイックミラー４２１を透過した赤色光と緑色光のうち、緑色光はダイクロイックミラー４２２によって反射され、フィールドレンズ４４１を通って緑色光用の液晶パネル４４２Ｇに達する。一方、赤色光はダイクロイックミラー４２２を透過してリレー光学装置４３を通り、さらにフィールドレンズ４４１を通って赤色光用の液晶パネル４４２Ｒに達する。なお、赤色光にリレー光学装置４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４４１に伝えるためである。なお、リレー光学装置４３には、３つの色光のうち赤色光を通す構成としたが、これに限らず、例えば、青色光を通す構成としてもよい。
【００３３】
電気光学装置４４は、色分離光学装置４２から射出される３つの色光を画像情報に応じてそれぞれ変調し、変調した各色光を合成して光学像（カラー画像）を形成する。
この電気光学装置４４は、図１に示すように、前述のフィールドレンズ４４１と、光変調装置としての液晶パネル４４２（赤色光用の液晶パネルを４４２Ｒ、緑色光用の液晶パネルを４４２Ｇ、及び、青色光用の液晶パネルを４４２Ｂとする）と、これら各液晶パネル４４２の光束入射側にそれぞれ配置される３つの入射側偏光板４４３と、各液晶パネル４４２の光束射出側にそれぞれ配置される３つの視野角補償板４４４と、当該３つの視野角補償板４４４の光束射出側にそれぞれ配置される３つの射出側偏光板４４５と、色合成光学装置としてのクロスダイクロイックプリズム４４６とを備えて構成されている。
【００３４】
入射側偏光板４４３には、偏光変換素子４１４で偏光方向が略一方向に揃えられた各色光が入射し、当該入射側偏光板４４３は、入射した光束のうち、偏光変換素子４１４で揃えられた光束の偏光方向と略同一方向の偏光光のみ透過させ、その他の光束を吸収する。このような入射側偏光板４４３は、例えば、サファイアガラスまたは水晶等の透光性基板上に偏光層が貼付された構成を有している。
光変調装置としての液晶パネル４４２は、詳しい図示を省略するが、一対の透明なガラス基板間に電気光学物質である液晶が密閉封入した構成を有している。そして、当該液晶パネル４４２では、前述の制御ユニットから入力する画像情報である駆動信号に応じて、画像形成領域に位置する液晶の配向状態が制御され、入射側偏光板４４３から射出された偏光光束の偏光方向が変調されることで、画像光が形成される。
【００３５】
視野角補償板４４４は、液晶パネル４４２に光束が斜方入射した場合（パネル面の法線方向に対して傾斜して入射した場合）の当該液晶パネル４４２で生じる複屈折による常光と異常光との間に生じる位相差を補償する。
射出側偏光板４４５は、液晶パネル４４２から射出され視野角補償板４４４を介した光束のうち、入射側偏光板４４３における光束の透過軸と直交する偏光方向を有する光束のみ透過させ、その他の光束を吸収するものである。このような射出側偏光板４４５は、前述の入射側偏光板４４３と同様の構成とすることができる。
【００３６】
クロスダイクロイックプリズム４４６は、射出側偏光板４４５から射出された色光毎に変調された変調光を合成して光学像（カラー画像）を形成する。このクロスダイクロイックプリズム４４６は、４つの直角プリズムを貼り合わせた平面視正方形状をなし、直角プリズム同士を貼り合わせた界面には、２つの誘電体多層層が形成されている。これら誘電体多層層は、投射レンズ３と対向する側（Ｇ色光側）に配置された射出側偏光板４４５を介した色光を透過し、残り２つの射出側偏光板４４５（Ｒ色光側及びＢ色光側）を介した色光を反射する。このようにして、各入射側偏光板４４３、各液晶パネル４４２、各視野角補償板４４４、及び、各射出側偏光板４４５にて変調された各色光が合成されてカラー画像が形成される。
【００３７】
〔放電灯の構成〕
図２は、光源装置４１１の放電灯５及び主反射鏡６を示す縦断面図である。
放電灯５は、後述する点灯制御装置８から供給された電力によって発光する光源であり、図２に示すように、石英ガラスにより形成された発光管５１と、当該発光管５１に取り付けられる副反射鏡５２とを備えて構成されている。なお、このような放電灯５としては、高輝度発光する種々の放電光源ランプを採用することができ、例えば、メタルハライドランプ、高圧水銀ランプ及び超高圧水銀ランプ等を採用することができる。
【００３８】
〔発光管の構成〕
発光管５１は、中央部分が略球状に膨出する発光部５１１と、発光部５１１を挟み、かつ、当該発光部５１１の両端から互いに離間する方向に延出する一対の封止部５１２，５１３（図２における左側の封止部を５１２、右側の封止部を５１３とする）とを有している。
このうち、発光部５１１の内部には、タングステンにより形成された一対の電極Ｅ（Ｅ１，Ｅ２）が配置され、当該一対の電極Ｅ１，Ｅ２間には、水銀、希ガス及び少量のハロゲンを含む発光物質が封入された放電空間Ｓが形成されている。
【００３９】
一対の封止部５１２，５１３の内部には、電極Ｅ１，Ｅ２とそれぞれ電気的に接続されるモリブデン製の金属箔５１２１，５１３１が挿入され、当該一対の封止部５１２，５１３における発光部５１１とは反対側の端部は、ガラス材料等で封止されている。これら各金属箔５１２１，５１３１には、発光管５１の外部まで延出する電極引出線５１４，５１５がそれぞれ接続され、これら電極引出線５１４，５１５に対して、後述する点灯制御装置８が電力を供給すると、金属箔５１２１，５１３１を介して電極Ｅ１，Ｅ２間に電位差が生じて放電が発生し、アーク像Ｄが形成されて発光部５１１内部が発光する。
【００４０】
〔主反射鏡の構成〕
ここで、主反射鏡６について説明する。
主反射鏡６は、入射した光を反射して、照明光軸Ａ上の第２焦点に収束させるガラス製の一体成形品である。この主反射鏡６は、放電灯５の一方の封止部５１２（光源装置４１１における光束射出方向の基端側に位置する封止部５１２）に接着剤Ｂにより固定されている。このような主反射鏡６には、封止部５１２が挿通される略円筒状の首状部６１と、当該首状部６１から拡がる凹曲面状の反射部６２とが形成されている。
このうち、反射部６２において放電灯５に対向する側の回転曲線形状の面には、金属薄膜が蒸着された反射面６２１が形成されている。この反射面６２１は、可視光を反射し、かつ、赤外線及び紫外線を透過するコールドミラーとして形成されている。
【００４１】
首状部６１には、封止部５１２が挿通される平面視略円形状の開口６１１が形成されており、封止部５１２が挿通された状態で接着剤Ｂが当該開口６１１内に注入され、これにより、封止部５１２と主反射鏡６とが接着固定される。この際、放電灯５と主反射鏡６との位置は、当該放電灯５の発光部５１１におけるアーク像Ｄの中心位置Ｃが、当該主反射鏡６の反射面６２１の第１焦点近傍となるように設定されている。
なお、本実施形態では、主反射鏡６は、回転楕円面を有する楕円面リフレクタで構成されているが、回転放物面を有する放物面リフレクタで構成してもよい。この場合には、平行化凹レンズ７を省略した構成とすることができる。さらに、主反射鏡６は、自由曲面リフレクタで構成してもよい。
【００４２】
〔副反射鏡の構成〕
副反射鏡５２は、発光管５１の封止部５１３（主反射鏡６が装着される側とは反対側の封止部５１３）に装着されるガラス製の成形品であり、発光管５１と同様の素材により形成されている。この副反射鏡５２は、封止部５１３が挿通される開口５２１１を有する略円筒状の首状部５２１と、当該首状部５２１から拡がる反射部５２２とを有している。
【００４３】
このうち、反射部５２２は、封止部５１３に副反射鏡５２が取り付けられた際に、発光部５１１における封止部５１３側を覆うように配置され、発光部５１１における封止部５１３側の外形に沿うように略椀状に形成されている。この反射部５２２における発光部５１１と対向する面には反射面５２２１が形成されており、当該反射面５２２１は、可視光を反射し、かつ、赤外線及び紫外線を透過するコールドミラーとして形成されている。
【００４４】
このような副反射鏡５２を発光管５１に取り付けることにより、発光部５１１から射出された光のうち、主反射鏡６側とは反対側に射出された光は、反射面５２２１により、主反射鏡６の反射面６２１に入射する。このため、当該光は、発光部５１１から反射面６２１に直接入射する光と同様に、当該反射面６２１にて反射され、第２焦点に集束する。これにより、発光部５１１から光源装置４１１の光束射出方向の先端側に直接射出され、かつ、当該光源装置４１１の光路後段に位置する第１レンズアレイ４１２に入射しない光の発生を抑えることができる。
【００４５】
〔点灯制御装置の構成〕
図３は、点灯制御装置８の構成を示す模式図である。
点灯制御装置８は、前述のように、放電灯５の各電極Ｅに電力を供給して点灯を制御するものであり、複数の回路素子により構成されている。この点灯制御装置８は、図３に示すように、点灯装置８１及び制御装置８２により構成されている。
【００４６】
〔点灯装置の構成〕
点灯装置８１は、本発明の電力供給手段を構成し、後述する制御装置８２の制御下で、電源ユニット９２から供給される電力を放電灯５の各電極Ｅに供給して、当該放電灯５を発光させる。この点灯装置８１は、ダウンチョッパ８１１、インバータブリッジ８１２及びイグナイタ回路８１３を備えて構成されている。
【００４７】
ダウンチョッパ８１１は、電源ユニット９２から略３００Ｖ〜４００Ｖで入力する直流電圧を、放電灯５に適した略５０Ｖ〜１５０Ｖに降下させる回路である。このダウンチョッパ８１１は、直列接続されるスイッチ素子８１１１及びコイル８１１２と、これらの素子から分岐して接続されるダイオード８１１３及びコンデンサ８１１４とを備えている。
スイッチ素子８１１１は、電源ユニット９２から入力した直流電圧を、所望の電圧に降下させる。また、コイル８１１２、ダイオード８１１３及びコンデンサ８１１４は、入力する直流電流の高周波成分の除去、整流、及び、入力される直流電圧の定電力化を行う素子として機能する。
【００４８】
インバータブリッジ８１２は、直流電流を交流矩形波電流に変換する部分であり、一対のトランジスタ８１２１及び一対のトランジスタ８１２２を備えたブリッジ回路として構成されている。そして、これらトランジスタ８１２１及びトランジスタ８１２２の間に、放電灯５の電極Ｅ１，Ｅ２が接続されている。
このブリッジ回路には、ダウンチョッパ８１１を経て整流された直流電流が入力され、後述する制御装置８２がトランジスタ８１２１及びトランジスタ８１２２にパルス信号を与えると、一対のトランジスタ８１２１を含む経路と、一対のトランジスタ８１２２を含む経路とが交互に短絡して電流が流れ、これにより、その間に接続された電極Ｅ１，Ｅ２に交流矩形波電流が供給されるようになる。
【００４９】
イグナイタ回路８１３は、電極Ｅ１，Ｅ２間の絶縁破壊を行って、放電灯５の起動を促す回路として構成され、ダウンチョッパ８１１及びインバータブリッジ８１２と、放電灯５との間に、当該放電灯５と並列となるように接続されている。
このイグナイタ回路８１３は、詳しい図示を略したが、高圧パルス発生回路と、当該高圧パルス発生回路が一次側に接続されるパルストランスとを備えている。そして、高圧パルス発生回路で発生した高電圧パルスを、パルストランスの二次側で昇圧し、昇圧した電圧を電極Ｅ１，Ｅ２に印加することにより、当該電極Ｅ１，Ｅ２間の絶縁が破壊され、電気的導通が確保されて放電灯５が始動する。
【００５０】
〔制御装置の構成〕
制御装置８２は、前述のダウンチョッパ８１１及びインバータブリッジ８１２を構成するスイッチ素子８１１１及びトランジスタ８１２１，８１２２に電圧を印加し、これらのオン／オフ状態を制御することにより、点灯装置８１の駆動を制御し、もって放電灯５の点灯を制御する。この制御装置８２は、検出手段としての電圧値検出手段８２１、計時手段８２２及び輝度値検出手段８２３と、取得手段８２４と、判定手段８２５と、電流設定手段８２６と、パルス出力手段８２７と、記憶手段８２８とを備えている。
【００５１】
電圧値検出手段８２１は、定常点灯状態にある放電灯５の少なくとも消灯直前の電極Ｅ間に生じていた電圧値を検出し、当該電圧値を記憶手段８２８に記憶させる。
ここで、各電極Ｅ１，Ｅ２を形成するタングステンが蒸発するなどして当該各電極Ｅ１，Ｅ２が劣化し、電極Ｅ１，Ｅ２間の距離が未使用の放電灯５に比べて長くなると、当該各電極Ｅ１，Ｅ２間に生じていた電圧値は大きくなる。このため、電圧値検出手段８２１が、当該電圧値を検出することにより、各電極Ｅ１，Ｅ２の劣化状態を間接的に検出することができる。
【００５２】
計時手段８２２は、放電灯５の累積点灯時間を計時する。具体的に、計時手段８２２は、放電灯５の点灯時に記憶手段８２８に記憶された累積点灯時間を取得し、当該累積点灯時間に放電灯５の点灯時間を加算する。そして、放電灯５の消灯時に、加算された累積点灯時間で、記憶手段８２８の累積点灯時間を更新する。
ここで、各電極Ｅ１，Ｅ２は、前述のように、放電灯５の累積点灯時間に応じて劣化する。このため、計時手段８２２が、当該累積点灯時間を計時することにより、当該各電極Ｅ１，Ｅ２の劣化状態を間接的に検出することができる。
【００５３】
輝度値検出手段８２３は、少なくとも消灯直前に放電灯５から射出された光の輝度を検出し、当該輝度を記憶手段８２８に記憶させる。具体的に、輝度値検出手段８２３は、放電灯５から射出され、かつ、第２レンズアレイ４１３を透過した光のうち、液晶パネル４４２の画像形成領域に重畳される光の輝度値、或いは、当該画像形成領域に重畳されない光の輝度値のうち、いずれかを検出する。なお、本実施形態では、画像形成領域にて画像光として変調される光の輝度が減少することを防ぐために、輝度値検出手段８２３は、当該画像形成領域に重畳されない光の輝度値を検出する。
【００５４】
ここで、各電極Ｅ１，Ｅ２が劣化して、当該電極Ｅ１，Ｅ２間の距離が未使用の放電灯５の電極に比べて長くなると、当該電極Ｅ１，Ｅ２の先端間に形成されるアーク像Ｄが大きくなる。このため、放電灯５から射出され、かつ、第１レンズアレイ４１２を介して第２レンズアレイ４１３の各小レンズに結像される光のアーク像が大きくなり、既定の小レンズに入射せず、当該既定の小レンズに隣接した小レンズに入射する光の量が多くなる。このような光は、液晶パネル４４２の画像形成領域に重畳されず、当該画像形成領域での画像形成に利用されない。このように、電極Ｅの劣化に伴って、画像形成領域に重畳される光の輝度値は低下する反面、当該画像形成領域に重畳されない光の輝度値は増加する。このため、これら輝度値のうち、いずれか一方を検出することにより、電極Ｅの劣化状態を間接的に検出することができる。
【００５５】
取得手段８２４は、放電灯５の点灯始動時に、記憶手段８２８に記憶された電圧値、累積点灯時間及び輝度値を、検出データとして取得する。
判定手段８２５は、取得された検出データに基づいて、電極Ｅの劣化状態を判定し、当該各電極Ｅが温まりにくい状態であるか否かを判定する。例えば、未使用の放電灯５の電極Ｅに印加される電圧が７０Ｖであるのに対し、検出された電圧値が１００Ｖを超えている場合、放電灯５の寿命が３０００時間であるのに対し、累積点灯時間が１０００時間を越えている場合、及び、検出された輝度値が所定値（液晶パネル４４２の画像形成領域に重畳される光束の輝度が、未使用の放電灯５を用いて検出される輝度値の７０％程度に減少した際に、輝度値検出手段８２３により検出される輝度値）を越えた場合の各条件の少なくともいずれかを満たした場合に、各電極Ｅが劣化し、当該各電極Ｅが温まりにくい状態であると判定する。
【００５６】
図４は、放電灯５に供給されるランプ電力を示すグラフである。具体的に、図４（Ａ）は、放電灯５に供給されるランプ電力に係る電力値変化を示すグラフであり、図４（Ｂ）は、当該ランプ電力に係る電圧値変化を示すグラフである。また、図４（Ｃ）は、当該ランプ電力に係るランプ電流の電流値変化を示すグラフであり、図４（Ｄ）は、当該ランプ電力に係るランプ電流の波形を示すグラフである。
電流設定手段８２６は、図４に示すように、イグナイタ回路８１３による絶縁破壊（Ｔ１）後の始動期間（Ｔ２）、立上期間（Ｔ３）及び定常点灯期間（Ｔ４）に放電灯５に供給されるランプ電力に係るランプ電流の電流値及び周波数を設定する。なお、ランプ電力に係る電圧値については、放電灯５の種別に応じて設定される。
この電流設定手段８２６は、始動期間（Ｔ２）に供給されるランプ電流の電流値及び周波数を、判定手段８２５による判定結果に基づいて設定する。
【００５７】
図５は、始動期間（Ｔ２）に供給されるランプ電流の波形を示すグラフである。このうち、図５（Ａ）は、判定手段８２５により、電極Ｅが温まりにくい状態でないと判定された際に供給される通常時電流の波形を示すグラフであり、図５（Ｂ）は、当該各電極Ｅが温まりにくい状態であると判定された際に供給される劣化時電流の波形を示すグラフである。
具体的に、電流設定手段８２６は、判定手段８２５により、放電灯５がそれほど劣化した状態ではない、すなわち、各電極Ｅが温まりにくい状態ではないと判定された場合に、図５（Ａ）に示すように、電流値及び周波数を２．５Ａ及び２５０Ｈｚとした通常時電流を、始動期間（Ｔ２）に供給するように設定する。この通常時電流が、本発明の第１のランプ電流に相当する。
【００５８】
また、電流設定手段８２６は、判定手段８２５により、放電灯５が劣化した状態にある、すなわち、各電極Ｅが温まりにくい状態であると判定された場合には、温まりにくい状態でないと判定された際に設定された半周期の電気量（図５（Ａ）における斜線で示す電気量（Ｃ）＝半周期中の平均電流値（Ａ）×半周期の時間（ｓ））より大きくなるように、図５（Ｂ）に示すように、電流値及び周波数を１．５Ａ及び１００Ｈｚとした劣化時電流を、始動期間（Ｔ２）に供給するように設定する。この劣化時電流が、本発明の第２のランプ電流に相当する。
これにより、電極Ｅが温まりにくい状態にある場合に供給される半周期の電気量（図５（Ｂ）における斜線で示す電気量）は、当該電極Ｅが温まりにくい状態でない場合に供給される半周期の電気量に比べて大きくなる。
【００５９】
パルス出力手段８２７は、電流設定手段８２６により設定された電流値及び周波数に応じたランプ電流が各電極Ｅに供給されるように、点灯装置８１の前述のダウンチョッパ８１１及びインバータブリッジ８１２にパルスを印加する。これにより、当該ランプ電流、ひいては、当該ランプ電流及び規定の電圧値に応じたランプ電力が、点灯装置８１により、各電極Ｅに供給される。
すなわち、これら電流設定手段８２６及びパルス出力手段８２７は、前述の点灯装置８１と合わせて、本発明の電流供給手段を構成する。
【００６０】
〔消灯時処理〕
図６は、放電灯５を消灯する際に実行される消灯時処理ＳＡを示すフローチャートである。
制御装置８２は、使用者の操作等により、前述の制御ユニット９３から放電灯５を消灯する旨の制御信号が入力された場合には、以下に示す消灯時処理ＳＡを実行する。
【００６１】
この消灯時処理ＳＡでは、図６に示すように、電圧値検出手段８２１が電極Ｅ間に生じていた電圧値を検出し、当該電圧値を記憶手段８２８に記憶させる（検出ステップＳＡ１）。また、計時手段８２２が、計時中の累積点灯時間で、記憶手段８２８に記憶された累積点灯時間を更新する（検出ステップＳＡ２）。更に、輝度値検出手段８２３が、前述の輝度値を検出し、当該輝度値を記憶手段８２８に記憶させる（検出ステップＳＡ３）。
この後、パルス出力手段８２７が、点灯装置８１によるランプ電力供給を停止させる（ステップＳＡ４）。これにより、放電灯５が消灯し、消灯時処理ＳＡが終了する。
【００６２】
〔点灯時処理〕
図７は、放電灯５を点灯する際に実行される点灯時処理ＳＢを示すフローチャートである。
制御装置８２は、同様に、制御ユニット９３から放電灯５を点灯する旨の制御信号が入力された場合には、以下に示す点灯時処理ＳＢを実行する。
【００６３】
この点灯時処理ＳＢでは、図７に示すように、まず、取得手段８２４が、記憶手段８２８に記憶された電圧値、累積点灯時間及び輝度値を、検出データとしてそれぞれ取得する（取得ステップＳＢ０１〜ＳＢ０３）。
この後、判定手段８２５が、取得された検出データに基づいて、前述のように、放電灯５が劣化したか否かを判定する（判定ステップＳＢ０４）。
【００６４】
ここで、判定手段８２５により、放電灯５がそれほど劣化した状態ではない、すなわち、各電極Ｅが温まりにくい状態ではないと判定された場合には、電流設定手段８２６が、始動期間（Ｔ２）に前述の通常時電流を供給するように設定する（ステップＳＢ０５）。
一方、判定手段８２５により、放電灯５が劣化した状態である、すなわち、各電極Ｅが温まりにくい状態であると判定された場合には、前述のように、電流設定手段８２６が、通常時電流の電流値及び周波数より低い電流値及び周波数に設定した劣化時電流を、始動期間（Ｔ２）に供給するように設定する（電流設定ステップＳＢ０６）。
【００６５】
次に、パルス出力手段８２７が点灯装置８１にパルスを出力して、イグナイタ回路８１３により、各電極Ｅ１，Ｅ２間の絶縁破壊を行う（ステップＳＢ０７）。
この後、放電灯５の点灯は、始動期間（Ｔ２）に移行するが、この際、パルス出力手段８２７が点灯装置８１にパルスを出力して、当該点灯装置８１により、前述の通常時電流又は劣化時電流を、電極Ｅに供給させる（供給ステップＳＢ０８）。すなわち、これら各ステップＳＢ０６，ＳＢ０８が、本発明の電流供給ステップに相当する。
【００６６】
この始動期間（Ｔ２）の経過後、放電灯５の点灯は、立上期間（Ｔ３）及び定常点灯期間（Ｔ４）に移行するが、パルス出力手段８２７は、それぞれの期間に設定されたランプ電流、ひいては、ランプ電力となるように、点灯装置８１にパルスを出力し、当該点灯装置８１により各ランプ電力が電極Ｅに供給される（ステップＳＢ０９，ＳＢ１０）。
以上により、点灯時処理ＳＢが終了する。
【００６７】
以上説明した本実施形態に係るプロジェクタ１によれば、以下の効果がある。
（１）消灯時処理ＳＡの検出ステップＳＡ１，ＳＡ３にて検出され、かつ、点灯時処理ＳＢの取得ステップＳＢ０１，ＳＢ０３にて取得された電圧値及び輝度値と、同じく、検出ステップＳＡ２にて記憶され、かつ、取得ステップＳＢ０２にて取得された累積点灯時間とに基づいて、判定ステップＳＢ０４にて、電極Ｅが温まりにくい状態にあるか否かが判定される。そして、電極が温まりにくい状態でないと判定された場合には、供給ステップＳＢ０８にて、通常時電流を電極Ｅに供給する。一方、電極Ｅが温まりにくい状態にあると判定された場合には、供給ステップＳＢ０８にて、半周期の電気量が通常時電流より大きな劣化時電流を電極Ｅに供給する。
【００６８】
これによれば、各電極Ｅにて不要なアークが生じないようにした状態で、当該各電極Ｅを温めることができる。従って、不要なアークが発光部５１１に衝突するなどして放電灯が劣化することを抑制することができ、放電灯５の長寿命化を図ることができる。また、これにより、放電灯５の交換を頻繁に行う必要がなくなり、プロジェクタ１のメンテナンスの手間を省くことができる。
【００６９】
（２）ステップＳＢ０６にて設定される劣化時電流は、通常時電流に対して、半周期の電気量が大きくなるように、電流値及び周波数のそれぞれを調整した交流電流である。これによれば、電圧値を調整する場合に比べ、電極Ｅが劣化した場合に供給される電気量の設定を容易に行うことができる。従って、放電灯５の始動期間（Ｔ２）でのランプ電流の供給制御を容易に行うことができる。
【００７０】
（３）劣化時電流の電流値及び周波数は、通常時電流の電流値及び周波数に比べてそれぞれ低く設定されている。これによれば、各電極Ｅが緩やかに加熱されることとなるので、当該各電極Ｅの先端以外の部位から、強いアークが発生することを抑えることができる。従って、当該強くアークが発光部５１１の内壁に衝突することを抑制することができ、放電灯５の劣化を一層確実に抑制することができる。
【００７１】
（４）放電灯５の劣化状態、すなわち、電極Ｅの劣化状態は、電圧値検出手段８２１及び輝度値検出手段８２３により検出された電圧値及び輝度値と、計時手段８２２により計時された放電灯５の累積点灯時間とに基づいて判定される。これによれば、直接検出することが困難な電極の劣化状態を、前述のように、間接的にではあるが精度よく検出することができる。
【００７２】
（５）電極Ｅ間に生じていた電圧値、及び、放電灯５から射出された光の輝度値と、当該放電灯５の累積点灯時間は、消灯時処理ＳＡにて記憶手段８２８に検出データとして記憶され、当該検出データは、点灯時処理ＳＢの取得ステップＳＢ０１〜ＳＢ０３にて取得される。これによれば、放電灯５の点灯時に、当該放電灯５の劣化状態を判定するのに必要な検出データを即座に取得することができるとともに、電極Ｅが劣化している状態では、当該電極Ｅに劣化時電流を迅速に供給することができる。従って、放電灯５の点灯始動性を向上することができるほか、当該放電灯５の劣化を一層効果的に抑制することができる。
【００７３】
〔２．第２実施形態〕
次に、本発明の第２実施形態に係るプロジェクタを説明する。
本実施形態に係るプロジェクタは、前述のプロジェクタ１と同様の構成を備えるが、当該プロジェクタ１では、半周期に供給される電気量を大きくするために、放電灯５の始動期間（Ｔ２）に供給する劣化時電流の電流値及び周波数を、それぞれ通常時電流の電流値及び周波数より低下させたが、本実施形態に係るプロジェクタでは、当該劣化時電流の電流値及び周波数を通常時電流の電流値及び周波数に比べて増加させる点で、本実施形態のプロジェクタと、プロジェクタ１とは相違する。なお、以下の説明では、既に説明した部分と同一または略同一である部分については、同一の符号を付して説明を省略する。
【００７４】
本実施形態のプロジェクタは、前述のように、電流設定手段８２６が設定する劣化時電流の電流値及び周波数が、前述のプロジェクタ１の電流設定手段８２６が設定する劣化時電流の電流値及び周波数と異なる他は、当該プロジェクタ１と同様の構成及び処理を行う。
【００７５】
図８は、本実施形態のプロジェクタに係る電流設定手段８２６及びパルス出力手段８２７により、放電灯５の始動期間（Ｔ２）に電極Ｅに供給されるランプ電流の波形を示すグラフである。このうち、図８（Ａ）は、図５（Ａ）と同じであり、図８（Ｂ）は、判定手段８２５により、各電極Ｅが温まりにくい状態であると判定された際に供給される劣化時電流の波形を示すグラフである。
本実施形態のプロジェクタが有する電流設定手段８２６は、判定手段８２５により、電極Ｅが温まりにくい状態にあると判定された際に、前述の電流設定ステップＳＢ０６にて、図８（Ｂ）に示すように、半周期の電気量が通常時電流より大きくなるように、交流電流の電流値及び周波数を４Ａ及び３００Ｈｚとした劣化時電流を、始動期間（Ｔ２）に供給するように設定する。
【００７６】
このような本実施形態のプロジェクタによれば、前述のプロジェクタ１が奏することのできる効果（１），（２），（４），（５）と同様の効果を奏することができるほか、以下の効果を奏することができる。
（６）判定ステップＳＢ０４にて、放電灯５が劣化した状態である、すなわち、電極Ｅが温めにくい状態であると判定された場合に、各電極Ｅに供給される劣化時電流の電流値及び周波数は、通常時電流の電流値及び周波数に比べてそれぞれ高く設定されている。これによれば、各電極Ｅが半周期で速やかに加熱されることとなるので、当該各電極Ｅの先端間でのアーク放電に速やかに移行することができる。従って、不要なアークが発生し、当該アークが発光部５１１の内壁等に衝突するなどして、放電灯５が劣化することを抑制することができる。
【００７７】
〔３．実施形態の変形〕
本発明は前述の実施形態に限定されるものではなく、本発明の目的を達成できる範囲での変形、改良等は本発明に含まれるものである。
前記各実施形態では、始動期間（Ｔ２）に供給する通常時電流の電流値及び周波数を、それぞれ２．５Ａ及び２５０Ｈｚに設定し、前記第１実施形態では、劣化時電流の電流値及び周波数を、それぞれ１．５Ａ及び１００Ｈｚに設定し、また、前記第２実施形態では、劣化時電流の電流値及び周波数を、それぞれ４Ａ及び３００Ｈｚに設定したが、本発明はこれに限らない。すなわち、劣化時電流に係る半周期の電気量が、通常時電流に係る半周期の電気量より大きく設定されるのであれば、各数値は、適宜設定可能である。
【００７８】
前記各実施形態では、放電灯５の劣化状態、すなわち、電極Ｅの劣化状態を判定する際の指標として、消灯直前に各電極Ｅに印加していた電圧値、及び、消灯直前に放電灯５から射出された光束の輝度値と、放電灯５の累積点灯時間とを挙げたが、本発明はこれに限らない。すなわち、可能であれば、電極Ｅの劣化状態を直接検出するようにしてもよく、また、発光部５１１の透明度等から電極Ｅひいては放電灯５の劣化状態を検出するようにしてもよい。
【００７９】
前記各実施形態では、プロジェクタ１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクタにも、本発明を適用可能である。
また、前記各実施形態では、光学ユニット４は平面視略Ｌ字形状を有した構成を説明したが、これに限らず、例えば、平面視略Ｕ字形状を有した構成を採用してもよい。
さらに、前記各実施形態では、光束入射面と光束射出面とが異なる透過型の液晶パネル４４２を用いていたが、光入射面と光射出面とが同一となる反射型の液晶パネルを用いてもよい。
【００８０】
前記各実施形態では、光変調装置として液晶パネル４４２を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４３，４４５は省略することができる。
【００８１】
前記各実施形態では、放電灯５及び点灯制御装置８を備えた光源装置４１１を、プロジェクタ１に採用したが、本発明はこれに限らない。すなわち、このような光源装置４１１は、照明装置に利用することも可能である。
【産業上の利用可能性】
【００８２】
本発明は、プロジェクタ等に用いられる放電灯の点灯方法に利用することができる。
【図面の簡単な説明】
【００８３】
【図１】本発明の第１実施形態に係るプロジェクタの概略構成を示す模式図。
【図２】前記実施形態における放電灯及び主反射鏡を示す縦断面図。
【図３】前記実施形態における点灯制御装置の構成を示す模式図。
【図４】（Ａ）前記実施形態における放電灯に供給されるランプ電力に係る電力値変化を示すグラフ。（Ｂ）前記実施形態におけるランプ電力に係る電圧値変化を示すグラフ。（Ｃ）前記実施形態におけるランプ電力に係るランプ電流の電流値変化を示すグラフ。（Ｄ）前記実施形態におけるランプ電力に係るランプ電流の波形を示すグラフ。
【図５】（Ａ）前記実施形態における通常時電流の波形を示すグラフ。（Ｂ）前記実施形態における劣化時電流の波形を示すグラフ。
【図６】前記実施形態における消灯時処理を示すフローチャート。
【図７】前記実施形態における点灯時処理を示すフローチャート。
【図８】本発明の第２実施形態に係るプロジェクタの通常時電流の波形を示すグラフ。（Ｂ）前記実施形態における劣化時電流の波形を示すグラフ。
【符号の説明】
【００８４】
１…プロジェクタ、３…投射レンズ（投射光学装置）、５…放電灯、８…点灯制御装置、８１…点灯装置（電力供給手段）、４４２…液晶パネル（光変調装置）、５１１…発光部、８２１…電圧値検出手段（検出手段）、８２２…計時手段（検出手段）、８２３…輝度値検出手段（検出手段）、８２５…判定手段、８２６…電流設定手段（電流供給手段）、８２７…パルス出力手段（電流供給手段）、Ｅ（Ｅ１，Ｅ２）…電極、ＳＡ１〜ＳＡ３…検出ステップ、ＳＢ０１〜ＳＢ０３…取得ステップ、ＳＢ０４…判定ステップ、ＳＢ０６…電流設定ステップ（電流供給ステップ）、ＳＢ０８…供給ステップ（電流供給ステップ）。
【図１】
2009212069.tif 000003
【図２】
2009212069.tif 000004
【図３】
2009212069.tif 000005
【図４】
2009212069.tif 000006
【図５】
2009212069.tif 000007
【図６】
2009212069.tif 000008
【図７】
2009212069.tif 000009
【図８】
2009212069.tif 000010